(57)【要約】【課題】  ベルト部材をクリーニングするクリーニング部材のメンテナンス時に、ベルト部材を損傷することなく且つ容易に、ベルト部材とは別にクリーニング部材を独立して着脱する。【解決手段】  第１のガイドレール７２ａにガイド突起７３を挿通可能なガイドレール溝７５を形成する。ベルトクリーナ１０ａを中間転写ベルト１０から離間した時に、ガイド突起７３は、ガイドレール溝７５を通って第１のガイドレール７２ａに嵌る。ベルトクリーナ１０ａを中間転写ベルト１０から離間した後、ガイド突起７３を第１のガイドレール７２ａに沿ってスライドし、ベルトクリーナ１０ａの着脱を行う。【選択図】図９
2007219424.tif 000002
【特許請求の範囲】
【請求項１】
被転写媒体にトナー像を転写した後のエンドレスのベルト部材に接離可能に対向配置してなり、前記ベルト部材から独立して着脱する時に前記ベルト部材と離間するクリーニング部材と、
前記クリーニング部材を着脱方向にガイドするガイド部材と、
前記クリーニング部材に設けられ、前記クリーニング部材を着脱操作する間、前記ガイド部材にガイドされる受け部材とを有するベルトクリーニング装置において、
前記クリーニング部材を前記ベルト部材と接離する時に前記受け部材を挿通するための挿通部を、前記ガイド部材に形成してなることを特徴とするベルトクリーニング装置。
【請求項２】
前記挿通部は、前記ガイド部材の一部を切り欠いて形成してなることを特徴とする請求項1記載のベルトクリーニング装置。
【請求項３】
前記受け部材は、前記クリーニング部材の長手方向に複数設けられ、前記複数の受け部材に対応して、前記ガイド部に前記挿通部を複数形成することを特徴とする請求項１または請求項２に記載のベルトクリーニング装置。
【請求項４】
像担持体にトナー像を形成するトナー像形成手段を配置してなる複数の画像形成ユニットと、
前記像担持体と対向配置され、前記像担持体から１次転写された前記トナー像を担時搬送して被転写媒体に転写するエンドレスのベルト部材と、
被転写媒体にトナー像を転写した後の前記エンドレスのベルト部材に接離可能に対向配置してなり、前記ベルト部材から独立して着脱する時に前記ベルト部材と離間するクリーニング部材と、
前記クリーニング部材を着脱方向にガイドするガイド部材と、
前記クリーニング部材に設けられ、前記クリーニング部材を着脱操作する間、前記ガイド部材にガイドされる受け部材とを有する画像形成装置において、
前記クリーニング部材を前記ベルト部材と接離する時に前記受け部材を挿通するための挿通部を、前記ガイド部材に形成してなることを特徴とする画像形成装置。
【請求項５】
前記挿通部は、前記ガイド部材の一部を切り欠いて形成してなることを特徴とする請求項４記載の画像形成装置。
【請求項６】
前記受け部材は、前記クリーニング部材の長手方向に複数設けられ、前記複数の受け部材に対応して、前記ガイド部に前記挿通部を複数形成することを特徴とする請求項４または請求項５に記載の画像形成装置。
【発明の詳細な説明】
【技術分野】
【０００１】
本発明はエンドレスの転写ベルトを用いて画像を得る電子写真方式の複写機やプリンタ等にて、転写終了後の転写ベルト表面をクリーニングするベルトクリーニング装置及び画像形成装置に関する。
【背景技術】
【０００２】
近年、感光体を有する画像形成ユニットを複数並列に配置し、各感光体上にそれぞれ形成される複数色のトナー像をエンドレスの中間転写ベルトに１次転写した後、記録媒体に２次転写してカラー画像を得る、タンデム方式の画像形成装置が知られている。このようなタンデム方式の画像形成装置において、中間転写ベルトをクリーニングするクリーニング装置を装置本体に着脱可能とする装置がある。（例えば特許文献１参照。）
【特許文献１】特開２００５−１８１８２０号公報(第７頁、図２〜図６)
【発明の開示】
【発明が解決しようとする課題】
【０００３】
しかしながら（特許文献1）は、中間転写装置とクリーニング装置とが一体となってユニット化されるものである。このため、メンテナンス頻度が比較的高いクリーニング装置のみを交換しようとすると、中間転写装置とクリーニング装置とを固定する固定部材を解除しなければならず、交換操作に手間取りメンテナンス性が損なわれるという問題を有していた。
【０００４】
そこで本発明は上記課題を解決するものであり、複数の画像形成ユニットを配列してなるタンデム方式の画像形成装置において、ベルト部材と独立してクリーニング部材を安全且つ容易に交換可能であり、メンテナンス性に優れたベルトクリーニング装置及び画像形成装置を提供することを目的とする。
【課題を解決するための手段】
【０００５】
本発明は上記課題を解決するための手段として、被転写媒体にトナー像を転写した後のエンドレスのベルト部材に接離可能に対向配置してなり、前記ベルト部材から独立して着脱する時に前記ベルト部材と離間するクリーニング部材と、前記クリーニング部材を着脱方向にガイドするガイド部材と、前記クリーニング部材に設けられ、前記クリーニング部材を着脱操作する間、前記ガイド部材にガイドされる受け部材とを有するベルトクリーニング装置において、前記クリーニング部材を前記ベルト部材と接離する時に前記受け部材を挿通するための挿通部を、前記ガイド部材に形成するものである。
【発明の効果】
【０００６】
本発明によれば、ベルト部材をクリーニングするクリーニング部材を交換する時に、ベルト部材と接触していたクリーニング部材を、容易に離間位置に移動可能であり、更にクリーニング部材を着脱するためのガイド部材に容易に嵌めることが出来る。従って、着脱時に、クリーニング部材とベルト部材との接触による損傷無く、クリーニング部材を安全且つ容易に交換可能となり、クリーニング部材のメンテナンス性向上を得られる。
【発明を実施するための最良の形態】
【０００７】
以下本発明の実施例について図１乃至図１５を用いて説明する。図１は、本発明の画像形成装置である４連タンデム方式のカラー複写機１のフロントカバー１ａを開けた概観斜視図であり、図２は、カラー複写機１の画像形成部７を示す概略構成図である。カラー複写機１は上方にスキャナ部２及び胴内排紙部３を備える。カラー複写機１は、エンドレスのベルト部材である中間転写ベルト１０の下側に沿って並列配置されるイエロ（Ｙ）、マゼンタ（Ｍ）、シアン（Ｃ）、ブラック（Ｋ）の４組の画像形成ユニット１１Ｙ、１１Ｍ、１１Ｃ及び１１Ｋを備える。
【０００８】
各画像形成ユニット１１Ｙ、１１Ｍ、１１Ｃ及び１１Ｋは、それぞれ像担持体である感光体ドラム１２Ｙ、１２Ｍ、１２Ｃ及び１２Ｋを有している。感光体ドラム１２Ｙ、１２Ｍ、１２Ｃ及び１２Ｋ周囲には、その矢印ｍ方向の回転方向に沿って帯電チャージャ１３Ｙ、１３Ｍ、１３Ｃ及び１３Ｋ、現像装置１４Ｙ、１４Ｍ、１４Ｃ及び１４Ｋ、及び感光体クリーニング装置１６Ｙ、１６Ｍ、１６Ｃ及び１６Ｋを配置してなっている。感光体ドラム１２Ｙ、１２Ｍ、１２Ｃ及び１２Ｋ周囲の帯電チャージャ１３Ｙ、１３Ｍ、１３Ｃ及び１３Ｋから現像装置１４Ｙ、１４Ｍ、１４Ｃ及び１４Ｋにいたる間には、レーザ露光装置１７により露光々が照射される。
【０００９】
帯電チャージャ１３Ｙ、１３Ｍ、１３Ｃ及び１３Ｋは、感光体ドラム１２Ｙ、１２Ｍ、１２Ｃ及び１２Ｋ表面を例えば−７００Ｖ程度に一様に全面帯電する。現像装置１４Ｙ、１４Ｍ、１４Ｃ及び１４Ｋは、それぞれイエロ（Ｙ）、マゼンタ（Ｍ）、シアン（Ｃ）、ブラック（Ｋ）のトナー及びキャリアからなる二成分現像剤を感光体ドラム１２Ｙ、１２Ｍ、１２Ｃ及び１２Ｋに供給する。
【００１０】
レーザ露光装置１７は、半導体レーザ素子から出射されたレーザビームを感光体ドラム１２Ｙ、１２Ｍ、１２Ｃ及び１２Ｋの軸線方向に走査し、結像レンズ系を経て各感光体ドラム１２ＢＫ、１２Ｙ、１２Ｍ及び１２Ｃ上に結像する。
【００１１】
中間転写ベルト１０は、耐熱性及び耐磨耗性の点から安定した材料である例えば半導電性ポリイミドで製造される。中間転写ベルト１０は、図３に示すベルトフレーム１００に、両側を支持される駆動ローラ２１、従動ローラ２０及び、第1〜第４のテンションローラ２２〜２５により張架される。中間転写ベルト１０の感光体ドラム１２ＢＫ、１２Ｙ、１２Ｍ及び１２Ｃに対向する１次転写位置には、１次転写ローラ１８Ｙ、１８Ｍ、１８Ｃ及び１８Ｋにより１次転写電圧が印可され、感光体ドラム１２Ｙ、１２Ｍ、１２Ｃ及び１２Ｋ上のトナー像は中間転写ベルト１０に１次転写される。感光体クリーニング装置１６Ｙ、１６Ｍ、１６Ｃ及び１６Ｋは、１次転写終了後に感光体ドラム１２Ｙ、１２Ｍ、１２Ｃ及び１２Ｋ上の残留トナーを廃トナーとして回収する。
【００１２】
中間転写ベルト１０の駆動ローラ２１により支持される２次転写位置には、２次転写ローラ２７が対向配置される。２次転写位置にあっては、例えば給紙部４から給紙される被転写媒体であるシート紙Ｐ等を介して２次転写ローラ２７により２次転写電圧が印加され、中間転写ベルト１０上のトナー像はシート紙Ｐに２次転写される。中間転写ベルト１０の２次転写ローラ２７の下流にはクリーニング部材であるベルトクリーナ１０ａが接離可能に対向配置される。ベルトクリーナ１０ａは、２次転写終了後に中間転写ベルト１０に残留するトナーを廃トナーとして回収する。
【００１３】
感光体クリーニング装置１６Ｙ、１６Ｍ、１６Ｃ及び１６Ｋ更にはベルトクリーナ１０ａにより回収された残留トナーは、廃トナーボックス３０に収納される。廃トナーボックス３０は、カラー複写機１の画像形成部７のフロントサイドに細長く延在される。廃トナーボックス３０は、満杯になったときには、新たなものと交換する。
【００１４】
ベルトクリーナ１０ａは、図４に示すように、クリーニングブレード５０及びリカバリーブレード５０ａを有する。クリーニングブレード５０は、中間転写ベルト１０に摺接して、中間転写ベルト１０上の残留トナーを回収する。リカバリーブレード５０ａは、残留トナー回収時に飛散トナーがもれるのを防止する。クリーニングブレード５０で回収した廃トナーは、オーガ５１によりフロント側に搬送される。フロント側に搬送された廃トナーは、ダクト３２を介して廃トナーボックス３０に落下流入される。
【００１５】
ベルトクリーナ１０ａは、レバー７０を操作して、ボス７１を支点に回動することにより、図５に示すトナー回収位置と、図６に示す着脱位置に配置可能となっている。トナー回収位置にあっては、クリーニングブレード５０は中間転写ベルト１０に当接して、残留トナーを回収可能となる。着脱位置にあっては、クリーニングブレード５０は中間転写ベルト１０から離間する。ボス７１は、ベルトフレーム１００の両側に取着される図８に示すボス受け１０１に支持され、中間転写ベルト１０に対して、ベルトクリーナ１０ａの位置出しをする。
【００１６】
更にベルトクリーナ１０ａのフロント側には、第１の突起７０ａ及び第２の突起７０ｂが形成される。第１の突起７０ａは、後述するロック機構１０３を解除するためきっかけを作るためのものである。第２の突起７０ｂは、トナー回収位置に配置した状態で、ベルトクリーナ１０ａが抜き出されるのを防止するためのものである。
【００１７】
ベルトクリーナ１０ａの下方には、着脱位置に配置されるベルトクリーナ１０ａをスライド移動可能に支持する支持部材である図７、図９に示すクリーナフレーム７２が設けられる。クリーナフレーム７２は、カラー複写機１の本体フレーム１ｃに支持されている。クリーナフレーム７２は、ガイド部材である第１のガイドレール７２ａ及び第２のガイドレール７２ｂを有している。
【００１８】
第１のガイドレール７２ａは、ベルトクリーナ１０ａの長手方向のフロント側およびリア側に形成される受け部材であるガイド突起７３が嵌るようになっている。ガイド突起７３は第１のガイドレール７２ａに嵌められてスライド可能に保持される。第１のガイドレール７２ａには、ベルトクリーナ１０ａを中間転写ベルト１０と接離するための回動時に、ガイド突起７３を挿通するための挿通部であり、ガイドレール７２ａの一部を切り欠いてなるガイドレール溝７５が形成されている。第２のガイドレール７２ｂは、ベルトクリーナ１０ａの底面７４をスライド可能に保持する。
【００１９】
さらにクリーナフレーム７２は、トナー受け部であるトナー落下防止受け皿７２ｃを有する。トナー落下防止受け皿７２ｃは、中間転写ベルト１０とクリーニングブレード５０が当接する領域方向に延在している。トナー落下防止受け皿７２ｃは、中間転写ベルト１０とクリーニングブレード５０を接離する時、ベルトクリーナ１０ａをスライドする時あるいは、中間転写ベルト１０を取り出す時等に、クリーニングブレード５０付近で生じる落下トナーを受ける。
【００２０】
ベルトクリーナ１０ａは、本体フレーム１ｃ内において、ベルトフレーム１００の両側に取着される押圧ユニット１０２の弾性力によりトナー回収位置に保持される。押圧ユニット１０２は、図１１に示すようにベルトクリーナ１０ａのケース端部背面に当接するフック部１０２ａと、フック部１０２ａに取着されフック部１０２ａを矢印ｆ方向に引っ張るフックスプリング１０２ｂを有する。
【００２１】
押圧ユニット１０２は、ロック機構１０３により、ベルトクリーナ１０ａに対する押圧力を解除される様になっている。ロック機構１０３は、ベルトフレーム１００に支持されるロックシャフト１０３ａの両側に押圧解除カム１０３ｂを軸着してなっている。ロックシャフト１０３ａのフロント端部にはブーメランカム１０３ｃが軸着される。
【００２２】
押圧解除カム１０３ｂはフック部１０２ａ上面に形成されるスリット１０２ｃに挿通されていて、その先端部１０５はほぼ平坦状に形成される。ベルトクリーナ１０ａがトナー回収位置に保持される状態においては、押圧解除カム１０３ｂは、図１２、図１３に示すように先端部１０５が上方に位置する状態で静止される。従って、フック部は押圧解除カム１０３ｂにより解除されることなく、フックスプリング１０２ｂの弾性力により矢印ｆ方向に引かれる。
【００２３】
ベルトクリーナ１０ａが着脱位置に保持される状態においては、押圧解除カム１０３ｂは、図１４、図１５に示すように先端部１０５が、フック部１０２ａ上面に形成されるスリット１０２ｃ先端の平面領域１０６と当接する状態で静止される。従って、フック部１０２ａは、押圧解除カム１０３ｂにより矢印ｊ方向に引かれ、ベルトクリーナ１０ａへの押圧力を解除する。
【００２４】
ブーメランカム１０３ｃは、図１５に示す状態にある押圧解除カム１０３ｂを、図１１の時計方向である矢印ｈ方向に回転するきっかけを発生するためのカムである。ブーメランカム１０３ｃの第１端部１０４ａに、ベルトクリーナ１０ａ第２の突起７０ｂが当接されると、ブーメランカム１０３ｃは矢印ｈ方向に回転し、ロックシャフト１０３ａを介して、押圧解除カム１０３ｂを、矢印ｈ方向に回転する。
【００２５】
次に作用について述べる。画像形成プロセスの開始時には、ベルトクリーナ１０ａは、図４に示すトナー回収位置にあり、クリーニングブレード５０が中間転写ベルト１０に当接して、中間転写ベルト１０上の残留トナーを回収可能となっている。
【００２６】
このような状態で画像形成プロセスが開始されると、スキャナやパソコン端末等から画像情報が入力され、各感光体ドラム１２Ｙ、１２Ｍ、１２Ｃ及び１２Ｋが回転され各画像形成ユニット１１Ｙ、１１Ｍ、１１Ｃ及び１１Ｋにて、順次画像形成工程が実施される。イエロ（Ｙ）の画像形成ユニット１１Ｙでは感光体ドラム１２Ｙ表面が帯電チャージャ１３Ｙにより一様に帯電される。
【００２７】
次いで感光体ドラム１２Ｙは、露光位置１７Ｙにてイエロ（Ｙ）の画像情報に対応するレーザビームを照射されて静電潜像を形成される。更に感光体ドラム１２Ｙは、現像装置１８Ｙにてトナー像を形成される。更に感光体ドラム１２Ｙは、矢印ｓ方向に回転される中間転写ベルト１０と接触して１次転写ローラ１８Ｙによりトナー像を中間転写ベルト１０上に１次転写する。
【００２８】
このイエロ（Ｙ）のトナー像形成プロセスと同様にして、マゼンタ（Ｍ）、シアン（Ｃ）及びブラック（Ｋ）のトナー像形成プロセスを行う。各感光体ドラム１２Ｍ、１２Ｃ及び１２Ｋ上に形成されたトナー像は、中間転写ベルト１０上のイエロ（Ｙ）のトナー像が形成された同一位置に順次重ねて転写される。中間転写ベルト１０上には、イエロ（Ｙ）、マゼンタ（Ｍ）、シアン（Ｃ）及びブラック（Ｋ）を多重転写してなるフルカラートナー像が形成される。
【００２９】
この後中間転写ベルト１０に重ね合わされたフルカラートナー像は２次転写ローラ２７位置に達し、二次転写ローラ２７の転写バイアスにより、シート紙Ｐ上に一括２次転写される。次いでシート紙Ｐは定着工程を経てトナー像を完成される。定着後シート紙Ｐは、片面画像であればそのまま胴内排紙部３に排紙される。又両面画像あるいは多重プリントを行う場合は、再搬送ユニット（図示せず）を経て２次転写ローラ２７位置に再搬送される。
【００３０】
一方中間転写ベルト１０は、２次転写終了後、ベルトクリーナ１０ａにより残留トナーをクリーニングされる。又感光体ドラム１２Ｙ、１２Ｍ、１２Ｃ及び１２Ｋは、トナー像を中間転写ベルト１０に１次転写した後、感光体クリーニング装置１６Ｙ、１６Ｍ、１６Ｃ及び１６Ｋにより残留トナーを除去され、次ぎの画像形成プロセス可能とされる。
【００３１】
ベルトクリーナ１０ａは、中間転写ベルト１０に摺接するクリーニングブレード５０により、中間転写ベルト１０から回収した廃トナーをオーガ５１でフロント側に搬送する。フロント側に搬送された廃トナーは、ダクト３２を介して廃トナーボックス３０内に流入され、集積される。
【００３２】
このように画像形成プロセスを行う間にベルトクリーナ１０ａを交換する等のメンテナンスの必要を生じた場合、以下に述べるように本体フレーム１ｃより使用済みのベルトクリーナ１０ａを取り出し、新たなベルトクリーナ１０ａを装着する。
【００３３】
(使用済みベルトクリーナ１０ａの取り出し操作)
まずフロントカバー１ａをあけ、ダクト３２と取り外す。レバー７０を矢印ｉ方向に回転して、ベルトクリーナ１０ａを、ボス７１を支点として回転する。これにより使用済みのベルトクリーナ１０ａは中間転写ベルト１０から離間される着脱位置に配置される。
【００３４】
ベルトクリーナ１０ａの矢印ｉ方向の回転により、ケース背面端部１０ｂがフック部１０２ａを押して、フックスプリング１０２ｂの弾性力に抗してフック部１０２ａを矢印ｊ方向にスライドさせる。フック部１０２ａの矢印ｊ方向のスライドにより、押圧解除カム１０３ｂは、スリット１０２ｃの後端に押されて、図１１の矢印ｇ方向に回動される。この後押圧解除カム１０３ｂの先端部１０５は、図１５に示す位置に達し、スリット１０２ｃ内部の平面領域１０６と当接し静止される。これにより押圧ユニット１０２のベルトクリーナ１０ａに対する押圧力が解除される。
【００３５】
尚ベルトクリーナ１０ａを、トナー回収位置から着脱位置に回動すると、ベルトクリーナ１０ａのガイド突起７３は、ガイドレール溝７５を通りクリーナフレーム７２の第１のガイドレール７２ａに嵌合可能となる。一方ベルトクリーナ１０ａの底面７４は、第２のガイドレール７２ｂに嵌まる。
【００３６】
この状態で使用済みのベルトクリーナ１０ａを本体フレーム１０ｃから引き出す方向にスライドして、本体フレーム１０ｃから取り出す。このときに、クリーニングブレード５０からトナーがこぼれたとしても、トナー落下防止受け皿７２ｃにより受け止められ、周囲を汚すことが無い。この間フック部１０２ａは、押圧解除カム１０３ｂにより、ベルトクリーナ１０ａへの押圧力を解除した状態を保持する。
【００３７】
(新しいベルトクリーナ１０ａの取り付け操作)
次いで、新たなベルトクリーナ１０ａを第１のガイドレール７２ａ及び第２のガイドレール７２ｂに嵌めて、クリーナフレーム７２に装着する方向にスライドする。クリーナフレーム７２の第１の突起７０がブーメランカム１０３ｃ位置に達すると、第１端部１０４ａとに接触して、第１端部１０４ａと共にロックシャフト１０３ａを矢印ｈ方向に回動開始する。
【００３８】
ロックシャフト１０３ａが矢印ｈ方向に回動されると、押圧解除カム１０３ｂの先端部１０５は、フック部１０２ａのスリット１０２ｃ内部の平面領域１０６から外れる。フック部１０２ａには、フックスプリング１０２ｂの弾性力により、矢印ｆ方向の力がかかっている。従って、押圧解除カム１０３ｂの先端部１０５が平面領域１０６から外れたことにより、押圧解除カム１０３ｂは、フック部１０２ａのスリット１０２ｃにより矢印ｆ方向に力を加えられ、矢印ｈ方向に徐々に回転される。
【００３９】
これによりフック部１０２ａは、ベルトクリーナ１０ａのケース端部背面を押してボス７１を支点に矢印ｋ方向に回転させる。第１の突起７０がブーメランカム１０３ｃ位置に達した状態において、ベルトクリーナ１０ａのガイド突起７３は、第１のガイドレール７２ａのガイドレール溝７５位置に達している。従って、ベルトクリーナ１０ａの矢印ｋ方向の回転時、ガイド突起７３はガイドレール溝７５を通って、第１のガイドレール７２ａから外れる。
【００４０】
更にフック部１０２ａによる矢印ｆ方向の押圧力により、ベルトクリーナ１０ａのクリーニングブレード５０は、中間転写ベルト１０に当接して、中間転写ベルト１０上の残留トナーを回収可能となり、次の画像形成プロセスの実施可能となる。このとき、第２の突起７０ｂが、本体フレーム１ｃと干渉する位置にあり、クリーニングブレード５０が中間転写ベルト１０に当接したままの状態で、ベルトクリーナ１０ａが本体フレームから引き抜かれるのを防止する。
【００４１】
この実施例によれば、第１のガイドレール７２ａにガイドレール溝７５が形成されている。これにより中間転写ベルト１０に対してベルトクリーナ１０ａを接離する時にベルトクリーナ１０ａを容易に移動可能となる。又、ベルトクリーナ１０ａを中間転写ベルト１０から離間した時に、ベルトクリーナ１０ａのガイド突起７３を第１のガイドレール７２ａに容易に嵌めることが出来、この後、ガイド突起７３を第１のガイドレール７２ａ沿ってスライドすることにより、ベルトクリーナ１０ａを容易に着脱出来る。
【００４２】
従って中間転写ベルト１０を取り出さずにベルトクリーナ１０ａ単体を独立して着脱する時に、中間転写ベルト１０にベルトクリーナ１０ａが当たって損傷することがなく、ベルトクリーナ１０ａのみを安全且つ容易に交換することが出来、メンテナンス性を向上できる。
【００４３】
尚この発明は上記実施例に限られるものではなく、この発明の範囲内で種々変形可能であり、クリーニング部材をベルト部材と接離可能に出来れば、挿通部の位置や数等限定されないし、挿通部の形状も任意である。更に、クリーニング部材をベルト部材に接離する方法等も限定されない。
【図面の簡単な説明】
【００４４】
【図１】本発明の実施例のカラー複写機のフロントカバーを開けた状態を示す外観斜視図である。
【図２】本発明の実施例の画像形成部を示す概略説明図である。
【図３】本発明の実施例の中間転写ベルト及びベルトクリーナを示す斜視図である。
【図４】本発明の実施例のベルトクリーナの一部を本体フレームから引き出した状態を示す概略斜視図である。
【図５】本発明の実施例のトナー回収位置にあるベルトクリーナおよびクリーナフレームを示す概略側面図である。
【図６】本発明の実施例の着脱位置にあるベルトクリーナおよびクリーナフレームを示す概略側面図である。
【図７】本発明の実施例のクリーナフレームを下から見た斜視図である。
【図８】本発明の実施例のベルトクリーナを外した状態の中間転写ベルトを示す一部斜視図である。
【図９】本発明の実施例のクリーナフレーム及びベルトクリーナのガイド突起の配置を示す説明図である。
【図１０】本発明の実施例のクリーナフレーム及び一部を引き出したベルトクリーナのガイド突起の配置を示す説明図である。
【図１１】本発明の実施例の押圧ユニットおよびロック機構を示す概略斜視図である。
【図１２】本発明の実施例のベルトクリーナがトナー回収位置にあるときの、中間転写ベルトに対する押圧ユニットおよびロック機構を示す一部斜視図である。
【図１３】本発明の実施例のベルトクリーナがトナー回収位置にあるときの、フック部及びロック機構を示す概略斜視図である。
【図１４】本発明の実施例のベルトクリーナが着脱位置にあるときの、中間転写ベルトに対する押圧ユニットおよびロック機構を示す一部斜視図である。
【図１５】本発明の実施例のベルトクリーナが着脱位置にあるときの、フック部及びロック機構を示す概略斜視図である。
【符号の説明】
【００４５】
１…カラー複写機
２…スキャナ部
３…胴内排紙部
４…給紙部
７…画像形成部
１０…中間転写ベルト
１０ａ…ベルトクリーナ
１１Ｙ、１１Ｍ、１１Ｃ、１１Ｋ…画像形成ユニット
１２Ｙ、１２Ｍ、１２Ｃ、１２Ｋ…感光体ドラム
１６Ｙ、１６Ｍ、１６Ｃ、１６Ｋ…感光体クリーニング装置
１７…レーザ露光装置
５０…クリーニングブレード
７２…ガイドフレーム
７２ａ…第１のガイドレール
７２ｂ…第２のガイドレール
７３…ガイド突起
７５…ガイドレール溝
【図１】
2007219424.tif 000003
【図２】
2007219424.tif 000004
【図３】
2007219424.tif 000005
【図４】
2007219424.tif 000006
【図５】
2007219424.tif 000007
【図６】
2007219424.tif 000008
【図７】
2007219424.tif 000009
【図８】
2007219424.tif 000010
【図９】
2007219424.tif 000011
【図１０】
2007219424.tif 000012
【図１１】
2007219424.tif 000013
【図１２】
2007219424.tif 000014
【図１３】
2007219424.tif 000015
【図１４】
2007219424.tif 000016
【図１５】
2007219424.tif 000017